(57)【要約】  本発明の一実施形態によるスロットダイコーター調整装置は、第１活物質スラリーを吐出する下部吐出口を備える下部ダイ及び第２活物質スラリーを吐出する上部吐出口を備える上部ダイを含むスロットダイコーターにおいて、前記上部ダイが動くようにすることで下部吐出口と上部吐出口との間の距離を調整するスロットダイコーター調整装置であって、前記スロットダイコーターの長手方向の一側及び他側に各々備えられ、前記上部ダイに固定される加圧ブロックアセンブリーと、前記加圧ブロックアセンブリーの下部に配置され、前記加圧ブロックアセンブリーと連結され、前記加圧ブロックアセンブリーの動きをガイドする直線運動ガイドと、前記直線運動ガイドの動きのための動力を提供する駆動ユニットと、前記駆動ユニットと直線運動ガイドとの間に連結される減速機と、を含む。
2021517067.tif 000002
【特許請求の範囲】
【請求項１】
第１活物質スラリーを吐出する下部吐出口を備える下部ダイ及び第２活物質スラリーを吐出する上部吐出口を備える上部ダイを含むスロットダイコーターにおいて、前記上部ダイが動くようにすることで前記下部吐出口と前記上部吐出口との間の距離を調整するスロットダイコーター調整装置であって、
前記スロットダイコーターの長手方向の一側及び他側に各々備えられ、前記上部ダイに固定される加圧ブロックアセンブリーと、
前記加圧ブロックアセンブリーの下部に配置され、前記加圧ブロックアセンブリーと連結され、前記加圧ブロックアセンブリーの動きをガイドする直線運動ガイドと、
前記直線運動ガイドの動きのための動力を提供する駆動ユニットと、
前記駆動ユニットと前記直線運動ガイドとの間に連結される減速機と、を含むスロットダイコーター調整装置。
【請求項２】
前記スロットダイコーター調整装置は、前記直線運動ガイドの下部に配置され前記直線運動ガイドを支持する傾斜ブロックをさらに含むことを特徴とする請求項１に記載のスロットダイコーター調整装置。
【請求項３】
前記傾斜ブロックは、上面が地面に対して所定の角度で傾いて前記上部ダイ及び前記下部ダイの各々の対向面と平行になることを特徴とする請求項２に記載のスロットダイコーター調整装置。
【請求項４】
前記直線運動ガイドは、
ガイドフレームと、
前記ガイドフレーム内に設けられ、前記減速機と連結されて動力を受けるボールスクリューと、
前記ボールスクリューに締結され、前記ボールスクリューの回転によって前記スロットダイコーターの前後方向へ直線運動する移動ブロックと、を含むことを特徴とする請求項１から３のいずれか一項に記載のスロットダイコーター調整装置。
【請求項５】
前記加圧ブロックアセンブリーは、
前記上部ダイに固定されるカムフォロアと、
前記移動ブロックの上に固定され、前記カムフォロアが挿入される挿入ホールを備える加圧ブロックと、を含むことを特徴とする請求項４に記載のスロットダイコーター調整装置。
【請求項６】
前記カムフォロアは、
前記上部ダイに固定される回転軸と、
前記挿入ホールの内壁面と接し、前記回転軸を中心にして回転するベアリングと、を含むことを特徴とする請求項５に記載のスロットダイコーター調整装置。
【請求項７】
第１活物質スラリーを吐出する下部吐出口を備える下部ダイ及び第２活物質スラリーを吐出する上部吐出口を備える上部ダイを含むスロットダイコーターと、
前記スロットダイコーターの長手方向の一側及び他側に各々備えられ、前記上部ダイに固定される加圧ブロックアセンブリーと、
前記加圧ブロックアセンブリーの下部に配置され、前記加圧ブロックアセンブリーと連結され、前記加圧ブロックアセンブリーの動きをガイドする直線運動ガイドと、
前記直線運動ガイドの動きのための動力を提供する駆動ユニットと、
前記駆動ユニットと前記直線運動ガイドとの間に連結される減速機と、を含む電極活物質コーティングシステム。
【請求項８】
前記電極活物質コーティングシステムは、前記直線運動ガイドの下部に配置され前記直線運動ガイドを支持する傾斜ブロックをさらに含むことを特徴とする請求項７に記載の電極活物質コーティングシステム。
【請求項９】
前記傾斜ブロックは、上面が地面に対して所定の角度で傾いて前記上部ダイ及び下部ダイの各々の対向面と平行になることを特徴とする請求項８に記載の電極活物質コーティングシステム。
【請求項１０】
前記直線運動ガイドは、
ガイドフレームと、
前記ガイドフレーム内に設けられ、前記減速機と連結されて動力を受けるボールスクリューと、
前記ボールスクリューに締結され、前記ボールスクリューの回転によって前記スロットダイコーターの前後方向へ直線運動する移動ブロックと、を含むことを特徴とする請求項７から９のいずれか一項に記載の電極活物質コーティングシステム。
【請求項１１】
前記加圧ブロックアセンブリーは、
前記上部ダイに固定されるカムフォロアと、
前記移動ブロックの上に固定され、前記カムフォロアが挿入される挿入ホールを備える加圧ブロックと、を含むことを特徴とする請求項１０に記載の電極活物質コーティングシステム。
【請求項１２】
前記カムフォロアは、
前記上部ダイに固定される回転軸と、
前記挿入ホールの内壁と接し、前記回転軸を中心にして回転するベアリングと、を含むことを特徴とする請求項１１に記載の電極活物質コーティングシステム。
【発明の詳細な説明】
【技術分野】
【０００１】
本発明は、スロットダイコーター調整装置及びこれを含むスロットダイコーター調整システムに関し、より具体的には、スロットダイコーターの上部ダイを前後方向へ動いてスロットダイコーターの上部吐出口と下部吐出口との間の距離を調整するように構成されたスロットダイコーター調整装置及びこれを含む電極活物質コーティングシステムに関する。
【０００２】
本出願は、２０１８年１０月１日出願の韓国特許出願第１０−２０１８−０１１７１４２号に基づく優先権を主張し、該当出願の明細書及び図面に開示された内容は、すべて本出願に組み込まれる。
【背景技術】
【０００３】
モバイル機器に対する技術開発と需要が増加するにつれ、エネルギー源としての二次電池の需要が急増しつつあり、このような二次電池は、発電要素である電極組立体を必須に含んでいる。
【０００４】
電極組立体は、正極、分離膜及び負極が少なくとも一回以上積層された形態を有し、正極と負極は、各々アルミニウムホイルと銅ホイルからなる電極集電体に正極活物質スラリー及び負極活物質スラリーが塗布及び乾燥されることによって製造される。
【０００５】
二次電池の充放電特性を均一にするためには、このような正極活物質スラリー及び負極活物質スラリーが集電体に均一にコーティングされなければならず、このために、通常、スロットダイコーティング工程が行われる。
【０００６】
図１は、スロットダイコーティング工程を示す模式図である。図１を参照すれば、コーティング装置１０は、電極活物質スラリーが吐出されるスロットダイコーター２０及びコーティングロール４０を含んで構成され、コーティングロール４０を回転させながら集電体５０の上に活物質をコーティングする。
【０００７】
スロットダイコーター２０から吐出された電極活物質スラリーは、集電体５０の一面に広く塗布されて電極活物質層を形成する。
【０００８】
場合によっては、一つの層をなす電極活物質層の上に、もう一つの層をなす電極活物質スラリーがさらに塗布され、二つの電極活物質層が形成され得る。このように二つの電極活物質層を形成するためには、通常、図２に示したように、三つのダイブロック７１、７２、７３を含むスロットダイコーター７０が用いられる。このような形態のスロットダイコーター７０は、相互に隣接するダイブロックの間に形成された二つの吐出口７４、７５から電極活物質スラリーを同時に吐出することで、先に塗布された電極活物質スラリーによって形成された電極活物質層の上に電極活物質スラリーを連続的にさらに塗布し得る。
【０００９】
但し、このようなスロットダイコーター７０を用いる工程は、相異なる吐出口７４、７５から同時に吐出される電極活物質スラリーを用いなければならないため、所望の厚さに各電極活物質層を形成することが相当面倒であった。
【００１０】
通常、各電極活物質層の厚さは、吐出口７４、７５からの電極活物質スラリーの吐出量によって影響を受け、このような電極活物質スラリーの吐出量は、各々のダイブロック７１、７２、７３の間隔に大きく影響を受けることから、所望の厚さにするためには試験的に数回のコーティング工程を行いながら各ダイブロック７１、７２、７３を分解した後に再組立して間隔を調整し、吐出量を再度確認する作業を繰り返すことが要求されていた。
【００１１】
しかし、従来のスロットダイコーター７０は、三つのダイブロック７１、７２、７３が二つの吐出口７４、７５を形成するように相互に順次に結合しているため、いずれか一つの吐出口７４、７５の間隔を調整するためには、全てのダイブロック７１、７２、７３の分離が必要となることがあり、一つのダイブロックのみを分離しても残りのダイブロックの位置に影響を及ぼし得るため、二つの吐出口７４、７５を個別的に調整しにくいという問題がある。
【００１２】
さらに、ダイブロックの分離及び再組立を繰り返して、数回の試験コーティングを行うことは工程時間の遅延を発生させ、さらに、材料である電極活物質スラリーの消耗量を増やして工程全般の効率を大幅低下させる原因になり、他方では、反復される分解と組立てによってスロットダイコーターの寿命にも悪影響を及ぼし得る。
【００１３】
そこで、このような問題点を解決することができる改善した構造を有するスロットダイコーター、即ち、上部ダイ及び下部ダイとの相対的な動きによって上部吐出口と下部吐出口との間の距離調整が可能な構造を有するスロットダイコーターの開発及びこのようなスロットダイコーターの上部コーターと下部コーターとの間の距離を調整できるように構成されたスロットダイコーター調整装置の開発が切実に要求されているというのが実情である。
【発明の概要】
【発明が解決しようとする課題】
【００１４】
本発明は、上記問題点に鑑みてなされたものであり、スロットダイコーターの上部ダイが地面に対して一定の角度をなす傾斜面に沿ってスライドするようすることで、上部吐出口と下部吐出口との間の距離を調整できるようにすることを目的とする。
【００１５】
但し、なお、本発明が解決しようとする技術的課題は、前述の課題に制限されず、言及していないさらに他の課題は、下記する発明の説明から当業者にとって明確に理解されるものである。
【課題を解決するための手段】
【００１６】
上記の課題を達成するための本発明の一実施形態によるスロットダイコーター調整装置は、第１活物質スラリーを吐出する下部吐出口を備える下部ダイ及び第２活物質スラリーを吐出する上部吐出口を備える上部ダイを含むスロットダイコーターにおいて、前記上部ダイが動くようにすることで下部吐出口と上部吐出口との間の距離を調整するスロットダイコーター調整装置であって、前記スロットダイコーターの長手方向の一側及び他側に各々備えられ、前記上部ダイに固定される加圧ブロックアセンブリーと、前記加圧ブロックアセンブリーの下部に配置され、前記加圧ブロックアセンブリーと連結され、前記加圧ブロックアセンブリーの動きをガイドする直線運動ガイドと、前記直線運動ガイドの動きのための動力を提供する駆動ユニットと、前記駆動ユニットと前記直線運動ガイドとの間に連結される減速機と、を含む。
【００１７】
前記スロットダイコーター調整装置は、前記直線運動ガイドの下部に配置され前記直線運動ガイドを支持する傾斜ブロックをさらに含み得る。
【００１８】
前記傾斜ブロックは、上面が地面に対して所定の角度で傾いて前記上部ダイ及び下部ダイの各々の対向面と平行になり得る。
【００１９】
前記直線運動ガイドは、ガイドフレームと、前記ガイドフレーム内に設けられ、前記減速機と連結されて動力を受けるボールスクリューと、前記ボールスクリューに締結され、前記ボールスクリューの回転によって前記スロットダイコーターの前後方向へ直線運動する移動ブロックと、を含み得る。
【００２０】
前記加圧ブロックアセンブリーは、前記上部ダイに固定されるカムフォロア（ｃａｍ  ｆｏｌｌｏｗｅｒ）と、前記移動ブロックの上に固定され、前記カムフォロアが挿入される挿入ホールを備える加圧ブロックと、を含み得る。
【００２１】
前記カムフォロアは、前記上部ダイに固定される回転軸と、前記挿入ホールの内壁面と接し、前記回転軸を中心にして回転するベアリングと、を含み得る。
【００２２】
なお、上記の課題を達成するための本発明の一実施形態による電極活物質コーティングシステムは、第１活物質スラリーを吐出する下部吐出口を備える下部ダイ及び第２活物質スラリーを吐出する上部吐出口を備える上部ダイを含むスロットダイコーターと、前記スロットダイコーターの長手方向の一側及び他側に各々備えられ、前記上部ダイに固定される加圧ブロックアセンブリーと、前記加圧ブロックアセンブリーの下部に配置され、前記加圧ブロックアセンブリーと連結され、前記加圧ブロックアセンブリーの動きをガイドする直線運動ガイドと、前記直線運動ガイドの動きのための動力を提供する駆動ユニットと、前記駆動ユニットと直線運動ガイドのとの間に連結される減速機と、を含む。
【発明の効果】
【００２３】
本発明の一面によれば、スロットダイコーターの上部ダイが地面に対して一定の角度をなす傾斜面に沿ってスライドすることで上部吐出口と下部吐出口との間の距離が調整される。
【図面の簡単な説明】
【００２４】
【図１】従来技術によるスロットダイコーターの利用例を示した模式図である。
【図２】多層活物質コーティング工程に使用される従来技術によるスロットダイコーターの形態を示す断面図である。
【図３】本発明の一実施形態による電極活物質コーティングシステムを示す全体斜視図である。
【図４】本発明の一実施形態による電極活物質コーティングシステムに適用されるスロットダイコーターを示す断面図である。
【図５】本発明の一実施形態による電極活物質コーティングシステム及びそれに適用されるスロットダイコーターの後面を示す部分拡大図である。
【図６】図４に示したスロットダイコーターを用いて電極集電体の上に二つの活物質層を形成する工程を示す図である。
【図７】本発明の一実施形態による電極活物質コーティングシステムの一部を示す部分斜視図である。
【図８】本発明が一実施形態による電極活物質コーティングシステムを示す側面図である。
【発明を実施するための形態】
【００２５】
以下、添付された図面を参照して本発明の望ましい実施形態を詳しく説明する。これに先立ち、本明細書及び特許請求の範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。したがって、本明細書に記載された実施形態及び図面に示された構成は、本発明のもっとも望ましい一実施形態に過ぎず、本発明の技術的な思想のすべてを代弁するものではないため、本出願の時点においてこれらに代替できる多様な均等物及び変形例があり得ることを理解せねばならない。
【００２６】
以下、図３を参照して本発明の一実施形態による電極活物質コーティングシステムを説明する。
【００２７】
図３は、本発明の一実施形態による電極活物質コーティングシステムを示す全体斜視図である。
【００２８】
図３を参照すれば、本発明の一実施形態による電極活物質コーティングシステムは、スロットダイコーター１００及びスロットダイコーター調整装置２００を含む。
【００２９】
前記スロットダイコーター１００は、電極集電体の上に電極活物質スラリーを塗布して電極活物質層を形成する。前記スロットダイコーター１００は、下部ダイ１１０及び上部ダイ１２０に形成された一対の吐出口から電極活物質スラリーを吐出できる構造を有し、これによって電極集電体の上に二つの電極活物質層を形成し得る。このような本発明によるスロットダイコーター１００の具体的な構造及び機能については、図４〜図６を参照して後述する。
【００３０】
前記スロットダイコーター調整装置２００は、スロットダイコーター１００に形成された一対の吐出口の間の距離を調整できるように構成された装置であって、ベースブロック２１０、傾斜ブロック２２０、直線運動ガイド（Ｌｉｎｅａｒ  ｍｏｔｉｏｎ  ｇｕｉｄｅ）２３０、加圧ブロックアセンブリー２４０、サーボモーター（ｓｅｒｖｏ  ｍｏｔｏｒ）及び減速機２６０を含んで具現され得る。
【００３１】
前記ベースブロック２１０は、スロットダイコーター１００の長手方向（図３のＹ軸方向）の一側及び他側に一対が備えられ、傾斜ブロック２２０の下部に配置されて傾斜ブロック２２０を支持する。
【００３２】
前記傾斜ブロック２２０は、スロットダイコーター１００の長手方向の一側及び他側に一対が備えられ、ベースブロック２１０の上部に配置される。前記傾斜ブロック２２０は、その上面が地面（図３のＸ−Ｙ平面）に対して所定の角度で傾いた形態を有し、上面の傾斜度は、スロットダイコーター１００の下部ダイ１１０と上部ダイ１２０の対向面と同一である。即ち、前記傾斜ブロック２２０の上面は、スロットダイコーター１００の下部ダイ１１０と上部ダイ１２０の対向面とがなすスライディング面Ｓ（図４参照）と平行に形成される。
【００３３】
前記直線運動ガイド２３０は、スロットダイコーター１００の長手方向の一側及び他側に一対が備えられ、傾斜ブロック２２０の上面に載置される。前記直線運動ガイド２３０は、サーボモーター２５０から発生した動力を受けて加圧ブロックアセンブリー２４０が図３の矢印方向に沿って移動するように加圧ブロックアセンブリー２４０の動きをガイドする。
【００３４】
前記加圧ブロックアセンブリー２４０は、スロットダイコーター１００の長手方向の一側及び他側に一対が備えられ、直線運動ガイド２３０の上に配置される。前記加圧ブロックアセンブリー２４０は、直線運動ガイド２３０に備えられた移動ブロック２３３の上に固定され、サーボモーター２５０から発生した動力を受けて直線運動する移動ブロック２３３の動きによって図３に示した矢印方向に沿って移動する。
【００３５】
また、一対の前記加圧ブロックアセンブリー２４０は、各々スロットダイコーター１００の長手方向の一側面及び他側面に固定される。より具体的には、前記一対の前記加圧ブロックアセンブリー２４０は、各々上部ダイ１２０の一側面及び他側面に固定される。したがって、前記加圧ブロックアセンブリー２４０が図３に示した矢印方向に沿って動くと、上部ダイ１２０も下部ダイ１１０の上で動くようになる。
【００３６】
前記サーボモーター２５０は、スロットダイコーター１００の長手方向の一側及び他側に一対が備えられ、直線運動ガイド２３０及び加圧ブロックアセンブリー２４０よりも後方に位置する。
【００３７】
前記サーボモーター２５０は、減速機２６０を介して直線運動ガイド２３０の移動ブロック２３３に駆動力を伝達し、これによって移動ブロック２３３が図３に示した矢印方向に沿って直線運動するようにする。前記サーボモーター２５０は、直線運動ガイド２３０に対する垂直方向に沿って延びるように配置される。
【００３８】
前記減速機２６０は、スロットダイコーター１００の長手方向の一側及び他側に一対が備えられ、略Ｌ字形態を有する。前記減速機２６０は、直線運動ガイド２３０とサーボモーター２５０との間に連結され、サーボモーター２５０から発生した駆動力を直線運動ガイド２３０に伝達して移動ブロック２３３が動くようにする。
【００３９】
前記減速機２６０は、サーボモーター２５０によって傾斜ブロック２２０の上面に対する垂直方向に沿って伝達される力を、それに垂直な方向、即ち、傾斜ブロック２２０の上面と平行な方向へ方向転換する。また、前記減速機２６０は、適切な歯車比によってサーボモーター２５０で提供する力よりも大きい力が直線運動ガイド２３０の移動ブロック２３３に伝達するようにし、また、直線運動ガイド２３０の移動ブロック２３３の微細な動きを可能にする。
【００４０】
一方、前記サーボモーター２５０が直線運動ガイド２３０及び加圧ブロックアセンブリー２４０よりも後方に配置され、減速機２６０が直線運動ガイド２３０とサーボモーター２５０とを連結するということは、第１固定部１３０及び第２固定部１４０が形成されたスロットダイコーター１００の後面からその反対面である前面に向ける方向（図３のＸ軸に平行な方向）に沿ってサーボモーター２５０、減速機２６０及び直線運動ガイド２３０が順次に配置されることを意味する。
【００４１】
前記スロットダイコーター調整装置２００をなす各々の構成要素の具体的な構造及びスロットダイコーター調整装置２００の具体的な機能については、図７及び図８を参照して後述する。
【００４２】
次に、図４〜図６を参照して、本発明の一実施形態によるスロットダイコーター１００について具体的に説明する。
【００４３】
図４は、本発明の一実施形態による電極活物質コーティングシステムに適用されるスロットダイコーターを示す断面図であり、図５は、本発明の一実施形態による電極活物質コーティングシステム及びそれに適用されるスロットダイコーターの後面を示す部分拡大図であり、図６は、図４に示したスロットダイコーターを用いて電極集電体の上に二つの活物質層を形成する工程を示す図である。
【００４４】
図４〜図６を参照すれば、前記スロットダイコーター１００は、下部吐出口１１０Ａを備える下部ダイ１１０と、上部吐出口１２０Ａを備える上部ダイ１２０と、を含む。
【００４５】
前記下部ダイ１１０は、第１ダイブロック１１１及び第１ダイブロック１１１の上部に配置される第２ダイブロック１１２を含む。前記第１ダイブロック１１１は、第２ダイブロック１１２と対向する面に所定の深さを有する溝形態で形成された第１活物質スラリー収容部Ｇ１を備え得る。このような第１活物質スラリー収容部Ｇ１は、外部に設けられた活物質スラリー供給チャンバ（図示せず）と連結され、第１活物質スラリーを連続的に受け得る。また、前記第１活物質スラリー収容部Ｇ１は、活物質スラリー供給チャンバと連通する活物質スラリー供給ポートを備え得る。
【００４６】
前記活物質スラリー供給チャンバによる第１活物質スラリー供給によって第１活物質スラリー収容部Ｇ１内に第１活物質スラリーがいっぱい満たされると、第１活物質スラリーは、第１ダイブロック１１１と第２ダイブロック１１２との結合によって形成される下部吐出口１１０Ａから外部へ吐出される。
【００４７】
前記上部ダイ１２０は、第３ダイブロック１２１及び第３ダイブロック１２１の上部に配置される第４ダイブロック１２２を含む。前記第３ダイブロック１２１は、第４ダイブロック１２２と対向する面に所定の深さを有する溝の形態で形成された第２活物質スラリー収容部Ｇ２を備え得る。このような第２活物質スラリー収容部Ｇ２は、外部に設けられた活物質スラリー供給チャンバと連結され、第２活物質スラリーを連続的に受け得る。また、前記第２活物質スラリー収容部Ｇ２は、活物質スラリー供給チャンバと連通する活物質スラリー供給ポートを備え得る。
【００４８】
前記活物質スラリー供給チャンバによる第２活物質スラリーの供給によって第２活物質スラリー収容部Ｇ２内に第２活物質スラリーいっぱい満たされると、第２活物質スラリーは、第３ダイブロック１２１と第４ダイブロック１２２との結合によって形成される上部吐出口１２０Ａから外部へ吐出される。
【００４９】
前記下部ダイ１１０と上部ダイ１２０との対向面は、地面と所定の角度をなして傾いた形態を有する。即ち、前記下部ダイ１１０と上部ダイ１２０との対向面は、所定の角度をなして地面に対して傾いたスライディング面Ｓをなし、上部ダイ１２０は、下部ダイ１１０の上でこのようなスライディング面Ｓに沿って地面に対して所定の角度で傾いた方向に沿って前方または後方へ移動するようになる。
【００５０】
ここで、前方とは、スロットダイコーター１００の吐出口１１０Ａ、１２０Ａが形成された方向を意味し、後方とは、その反対方向を意味する。
【００５１】
一方、前記スロットダイコーター１００は、その後面に備えられる第１固定部１３０及び第２固定部１４０をさらに含み得る。前記第１固定部１３０は、少なくとも一対が備えられ、第１ダイブロック１１１と第２ダイブロック１１２とを締結し、また第３ダイブロック１２１と第４ダイブロック１２２とを締結する。
【００５２】
前記第２固定部１４０は、上部ダイ１２０が下部ダイ１１０の上で前方または後方へ動く点を考慮して一定水準の組立て公差（約３００μｍ〜５００μｍ範囲）を有して設けられる。
【００５３】
即ち、後述するように、前記上部ダイ１２０は、移動ブロック２３３（図３参照）の矢印方向の動きによって下部ダイ１１０の上でスライディング面Ｓに沿って前方または後方へ動くようになり、第２固定部１４０は、下部ダイ１１０と上部ダイ１２０との間に一定水準以上の動きが発生しないように固定するが、組立て公差によって微細な動きを許容するのである。
【００５４】
図６を参照すれば、このように、前記上部ダイ１２０は、下部ダイ１１０の上でスライディング面Ｓに沿って前方または後方へ移動して第１吐出口１１０Ａと第２吐出口１２０Ａとの間に間隔が形成されるようにすることができる。
【００５５】
特に、前記下部ダイ１１０と上部ダイ１２０とが整合した状態で上部ダイ１２０が後方へ移動して第１吐出口１１０Ａよりも第２吐出口１２０Ａがさらに後方に位置する場合、コーティングロールＲに巻き回されて供給される電極集電体Ｅの上に第１活物質層Ａ１が先に形成され、その上に第２活物質層Ａ２が形成され得る。
【００５６】
この際、前記上部ダイ１２０の移動距離は、積層される第２活物質層Ａ２の厚さを考慮して設定され、これによって、第１活物質層Ａ１の上に第２活物質層Ａ２が安定的に積層できる。
【００５７】
次は、図４と共に図７及び図８を参照して、本発明の一実施形態によるスロットダイコーター調整装置２００を構成する各々の構成要素について具体的に説明する。
【００５８】
図７は、本発明の一実施形態による電極活物質コーティングシステムの一部を示す部分斜視図であり、図８は、本発明が一実施形態による電極活物質コーティングシステムを示す側面図である。
【００５９】
図４と共に図７及び図８を参照すれば、本発明の一実施形態によるスロットダイコーター調整装置は、スロットダイコーター１００に形成された一対の吐出口の間の距離を調整するように構成された装置であって、ベースブロック２１０、傾斜ブロック２２０、直線運動ガイド２３０、加圧ブロックアセンブリー２４０、サーボモーター２５０及び減速機２６０を含み得る。
【００６０】
前記ベースブロック２１０は、上述したように、傾斜ブロック２２０の下部に配置され、傾斜ブロック２２０を支持し、このようなベースブロック２１０を省略して傾斜ブロック２２０をサイズ調整して加圧ブロックアセンブリー２４０が上部ダイ１２０と対応する高さに配置されるようにすることも可能である。
【００６１】
前記傾斜ブロック２２０は、前述したようにその上面がスロットダイコーター１００のスライディング面Ｓ（図４参照）と平行な構造を有する。これによって、前記傾斜ブロック２２０の上面に載置された直線運動ガイド２３０に備えられた移動ブロック２３３の直線運動によって上部ダイ１２０がスライディング面Ｓに沿って前後方向へ円滑に動くことができる。
【００６２】
前記直線運動ガイド２３０は、傾斜ブロック２２０の上面に載置されるガイドフレーム２３１、ガイドフレーム２３１内に設けられるボールスクリュー２３２及びボールスクリュー２３２に締結される少なくとも一つの移動ブロック２３３を含む。
【００６３】
前記ボールスクリュー２３２は、ガイドフレーム２３１の内部に位置し、ガイドフレーム２３１に締結されて回転する。前記ボールスクリュー２３２は、後述する減速機２６０の駆動軸２６１と連結され、サーボモーター２５０から伝達される動力によって減速機２６０の駆動軸２６１が回転することによって共に回転する。
【００６４】
前記ボールスクリュー２３２は、その表面の少なくとも一部に形成されるねじ山を備え、このようなねじ山が形成された部分には、移動ブロック２３３が締結される。前記移動ブロック２３３の内側面には、ボールスクリュー２３２に形成されたねじ山に対応する形態のねじ山が形成されている。したがって、前記サーボモーター２５０及び減速機２６０を通じて伝達された動力によってボールスクリュー２３２が回転すると、移動ブロック２３３は、図７に示した矢印方向に沿って前方または後方へ直線運動するようになる。
【００６５】
前記加圧ブロックアセンブリー２４０は、スロットダイコーター１００の上部ダイ１２０の側面に結合する少なくとも一つのカムフォロア２４１と、直線運動ガイド２３０の移動ブロック２３３の上に固定され、移動ブロック２３３の動きによってカムフォロア２４１に力を加えて上部ダイ１２０が動くようにする加圧ブロック２４３と、を含む。
【００６６】
前記カムフォロア２４１は、上部ダイ１２０の側面に結合する回転軸２４１ａと、回転軸２４１ａを中心にして回転運動をするベアリング２４１ｂと、を含む。
【００６７】
前記加圧ブロック２４３は、カムフォロア２４１が挿入されるようにベアリング２４１ｂに対応するサイズを有する挿入ホール２４３ａを備える。したがって、前記ベアリング２４１ｂは、挿入ホール２４３ａ内に挿入され、加圧ブロック２４３の動きによって挿入ホール２４３ａの内壁面に接した状態で回転するようになる。このようなベアリング２４１ｂの回転運動によって加圧ブロック２４３の動きによる上部ダイ１２０の前後方向の動きが円滑になる。
【００６８】
各部品が有する微細な設計公差及び／または組立て公差によって移動ブロック２３３及び加圧ブロック２４３の動きの方向と上部ダイ１２０の動きの方向とが完璧に一致しないこともあり、この場合、相互に接する部品同士の摩擦によって部品が摩耗されて力の伝達が円滑に行われない問題があり得る。
【００６９】
即ち、傾斜ブロック２２０の上面が有する傾斜とスロットダイコーター１００のスライディング面Ｓが有する傾斜との間に微細な差が発生することもあり、また、移動ブロック２３３の動きが図７に示した矢印方向と完全に一致しないこともある。
【００７０】
しかし、本発明によるスロットダイコーター調整装置２００の場合、前記上部ダイ１２０に加圧ブロック２４３を直接固定せず、ベアリング２４１ｂが適用されたカムフォロア２４１を上部ダイ１２０に固定してカムフォロア２４１のベアリング２４１ｂ部分を加圧ブロック２４３で押して動くようにする構造を有することで、このような問題の発生を防止することができる。
【００７１】
即ち、前記挿入ホール２４３ａの内壁面がベアリング２４１ｂに力を加えるとき、加圧ブロック２４３の動きの方向が図７に示した矢印方向と完全に平行な方向に形成されないとしても、ベアリング２４１ｂの回転運動によって加圧ブロック２４３が公差範囲内で全ての方向へ円滑に動くことができるようになる。
【００７２】
以上、本発明を限定された実施形態と図面によって説明したが、本発明はこれに限定されず、本発明が属する技術分野における通常の知識を有する者によって本発明の技術思想と特許請求の範囲の均等範囲内で多様な修正及び変形が可能であることは言うまでもない。
【符号の説明】
【００７３】
１０  コーティング装置
２０  スロットダイコーター
４０  コーティングロール
５０  集電体
７０  スロットダイコーター
７１  ダイブロック
７２  ダイブロック
７３  ダイブロック
７４  吐出口
７５  吐出口
１００  スロットダイコーター
１１０  下部ダイ
１１１  第１ダイブロック
１１２  第２ダイブロック
１２０  上部ダイ
１２１  第３ダイブロック
１２２  第４ダイブロック
１３０  第１固定部
１４０  第２固定部
２００  スロットダイコーター調整装置
２１０  ベースブロック
２２０  傾斜ブロック
２３０  直線運動ガイド
２３１  ガイドフレーム
２３２  ボールスクリュー
２３３  移動ブロック
２４０  加圧ブロックアセンブリー
２４１  カムフォロア
２４３  加圧ブロック
２５０  サーボモーター
２６０  減速機
２６１  駆動軸
【図１】
2021517067.tif 000003
【図２】
2021517067.tif 000004
【図３】
2021517067.tif 000005
【図４】
2021517067.tif 000006
【図５】
2021517067.tif 000007
【図６】
2021517067.tif 000008
【図７】
2021517067.tif 000009
【図８】
2021517067.tif 000010
【国際調査報告】
2021517067.tif 000011
2021517067.tif 000012
2021517067.tif 000013
2021517067.tif 000014